【事件の表示】
　特許第２７７６１０５号「電子機器及び電子機器への電力供給方法」の請求項１ないし３、５ないし７に係る特許に対する特許異議の申立てについて、次のとおり決定する。
【結論】
　　訂正を認める。
　　特許第２７７６１０５号の請求項１ないし２に係る特許を維持する。
【理由】
（１）手続の経緯
　特許第２７７６１０５号に係る発明についての出願は、平成４年１月７日に出願され、平成１０年５月１日に設定登録され、その後、特許異議の申立がなされ、取消理由通知がなされ、その指定期間内である平成１１年５月３１日に訂正請求がなされたものである。
（２）訂正の適否についての判断
ア．訂正の内容
　特許権者が求めている訂正の内容は、以下のＡ、Ｂのとおりである。
Ａ．特許請求の範囲を次のように訂正する。
「【請求項１】　内蔵バッテリと供給する電圧が異なる少なくとも２タイプの直流外部電源との少なくとも３タイプの電源のうちの１つのタイプの電源から電力の供給を受ける電子機器において、以下の要素を有する電子機器
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタに接続され、上記外部電源コネクタに接続される外部電源のタイプを上記外部電源コネクタの電圧そのものを検出することにより識別し、外部電源のタイプを決定する電源識別手段、
（ｃ）上記電源識別手段により識別された外部電源のタイプに基づいて、上記内蔵バッテリの充電実行可否制御を行なう制御手段。
　【請求項２】　上記直流外部電源は、少なくとも、１６Ｖ電圧のＡＣアダプタと８〜９．６Ｖ電圧の外部バッテリと１２Ｖ電圧のカーバッテリのいずれか２タイプの外部電源であり、上記電源識別手段は、上記検出した電圧により外部電源を識別することを特徴とする請求項１に記載の電子機器。
　【請求項３】　内蔵バッテリと２タイプの直流外部電源との少なくとも３タイプの電源のうちの１つのタイプの電源から電力の供給を受ける電子機器において、以下の要素を有する電子機器
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタの電圧を検出するとともに上記内蔵バッテリの電圧を検出し、上記外部電源コネクタの電圧と上記内蔵バッテリの電圧の合計値を決定し、上記検出した外部電源コネクタの電圧と上記合計値により、上記電子機器へ電力を供給している上記少なくとも３タイプの電源のうちの１つの電源のタイプを識別する電源識別手段、
（ｃ）上記電源識別手段により識別された電源のタイプにより電力の消費を制御する制御手段。
　【請求項４】　内蔵バッテリと外部電源とを含む複数のタイプの電源の１つのタイプの電源から電力の供給を受ける電子機器において、以下の要素を備えた電子機器
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタの電圧を検出し、上記内蔵バッテリの電圧を検出し、上記外部電源コネクタの電圧と上記内蔵バッテリの電圧の合計値を決定し、上記検出した外部電源コネクタの電圧と上記合計値により上記電子機器へ電力を供給している電源を識別する電源識別手段、
（ｃ）上記電源識別手段により識別された電源に対応して電力の消費を制御する制御手段。
　【請求項５】　上記電源識別手段は少なくとも３タイプの電源を識別することを特徴とする請求項３又は４に記載の電子機器。
　【請求項６】　上記電源識別手段は少なくとも４タイプの電源を識別することを特徴とする請求項３又は４に記載の電子機器。
　【請求項７】　上記制御手段は上記内蔵バッテリの充電を制御することを特徴とする請求項３又は４に記載の電子機器。」
Ｂ．発明の名称を「電子機器」と訂正する。
イ．訂正の目的の適否、新規事項の有無及び拡張・変更の存否
　上記Ａの訂正は、訂正前の請求項３、５、６、７を削除すると共に、訂正前の請求項１及び２に限定を加え新たな請求項１及び２とし、かつ、訂正前の請求項４、８、９、１０、１１を新たな請求項３乃至７とするものであって、特許請求の範囲の減縮に該当し、新規事項の追加に該当しない。
　また、上記Ｂの訂正は、明りょうでない記載の釈明に相当する。
　そして、上記いずれの訂正も実質上特許請求の範囲を拡張又は変更するものでもない。
ウ．独立特許要件の判断
　訂正明細書の請求項１及び２に係る発明（以下、「本件発明」という。）に対して、当審が通知した取消理由で引用した先願明細書である特願平３−２７７８４６号（特開平５−１１２０６２号公報参照）の願書に最初に添付した明細書又は図面には、「電源収容部１ａには・・・できるようになっている。」　（段落［０００９］）、「駆動条件選択回路２１には、・・・印字機能が向上される。」（段落［００１７］乃至［００２２］）「また、上記実施例では、電源パックを用いて・・・プリンタケース内にバッテリーを内蔵し、・・・適用可能である。」（段落［００２４］）とあるように、プリンタケース内にバッテリーを内蔵すると共に、該ケースの電源収容部１ａに、複数の電源パック３−５のいずれかを取り付け可能とし、該電源パックの出力電圧を検出して使用電源の形式を判定し、プリンタの駆動条件を変更するようにしたプリンタが記載されている。
　同じく引用した刊行物１（特開平３−１６８０３５号公報）には、「１２は入力端子であり・・・受電可能になっている。」（第２頁左上欄第１８行乃至右上欄第４行）、「バッテリ２２は・・・接続されるようになっている。」（第２頁右上欄第８行乃至第１５行）、「その際、ＣＰＵ２６は・・・連続充電を行うか又は断続充電を行うかを決めることができる。」（第２頁右下欄第６行乃至第３頁左上欄第４行）、「充電中、ＣＰＵ２６は・・・過充電を防止するようになっている。」（第３頁左上欄第１２行乃至第２０行）とあるように、入力端子１２にカーバッテリからの入力と整流トランス１４（商用電源３０から）の入力が接続可能な充電機能付電動リールであって、入力端子１２の入力電圧からいずれかの電源が接続されたかを検出し、カーバッテリからの入力の場合には断続充電を行い、商用電源の場合には連続充電を行なう充電機能付カーバッテリが記載されている。
（対比・判断）
　まず、本件発明と上記先願明細書に記載の発明とを対比すると、上記先願明細書に記載の発明は、本件発明を特定する事項である、「電源識別手段により識別された外部電源のタイプに基づいて、内蔵バッテリの充電実行可否制御を行なう制御手段」を備えていない。したがって、本件発明が上記先願明細書に記載の発明と同一であるとは到底いえない。
　次に、本件発明と上記刊行物１に記載の発明とを対比すると、上記刊行物１に記載の発明は、本件発明を特定する事項である、「電源識別手段により識別された外部電源のタイプに基づいて、内蔵バッテリの充電実行可否制御を行なう制御手段」を備えておらず、当該事項により本件発明は、ＡＣアダプタが接続されている場合には、内蔵バッテリーの充電を行なうようにし、外部バッテリーが接続されている場合には、内蔵バッテリーの充電を行なわないようにして外部バッテリー等の電力を節約するという顕著な効果を奏するものである。
　確かに、上記刊行物１には、外部電源に対して共通に設けられた端子を有する外部電源コネクタを有し、電源コネクタに接続される外部電源のタイプを電源コネクタの電圧そのものを検出することにより識別する電源識別手段を有し、該電源識別手段によりバッテリの充電を制御するものが記載されてはいるが、このものは電源識別手段を、連続充電か断続充電かを選択するために、即ち、常にバッテリの充電を行うことのみに用いているため、バッテリ充電を不可として外部直流電源の電力を節約することは出来ないものである。
　そうすると、本件発明が上記刊行物１に記載のものから容易に発明をすることができたものとはいえない。
　したがって、本件発明は特許出願の際独立して特許を受けることができるものである。
エ．むすび
　以上のとおりであるから、上記訂正は、特許法第１２０条の４第２項及び同条第３項で準用する第１２６条第２−４項の規定に適合するので、当該訂正を認める。
（３）特許異議の申立てについての判断
ア．申立ての概要
　申立人小山輝晃は、証拠として甲第１号証（特願平３−２７７８４６号（特開平５−１１２０６２号）の願書に最初に添付した明細書又は図面）を提出し、本件発明についての特許は特許法第２９条の２の規定に違反してなされたものであり、また、甲第２号証（特開平３−１６８０３５号公報）を提出し、本件発明についての特許は特許法第２９条第２項の規定に違反してなされたものであるから、本件発明についての特許を取り消すべき旨主張している。
イ．判断
　本件発明は、上記（２）ウ．の項で述べたように、取消理由通知で示した先願明細書に記載された発明と同一ではなく、さらに、刊行物１に記載された発明であるとも、これから容易に推考しうるものでもない。
　また、他に本件発明についての特許を取り消すべき理由を発見しない。
　よって、結論のとおり決定する。
【異議決定日】
平成１１年６月２４日（１９９９．６．２４）
【訂正の要旨】
訂正の要旨
▲１▼特許請求の範囲を次のとおりに改める。
『【特許請求の範囲】
　　【請求項１】　
内蔵バッテリと供給する電圧が異なる少なくとも２タイプの直流外部電源との少なくとも３タイプの電源のうちの１つのタイプの電源から電力の供給を受ける電子機器において、
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタに接続され、上記外部電源コネクタに接続される外部電源のタイプを上記外部電源コネクタの電圧そのものを検出することにより識別し、外部電源のタイプを決定する電源識別手段、
（ｃ）
上記電源識別手段により識別された外部電源のタイプに基づいて、上記内蔵バッテリの充電実行可否制御を行なう制御手段。
　　【請求項２】　上記直流外部電源は、少なくとも、１６Ｖ電圧のＡＣアダプタと８〜９．６Ｖ電圧の外部バッテリと１２Ｖ電圧のカーバッテリのいずれか２タイプの外部電源であり、上記電源識別手段は、上記検出した電圧により外部電源を識別することを特徴とする請求項１に記載の電子機器。
　　【請求項３】　
内蔵バッテリと２タイプの直流外部電源との少なくとも３タイプの電源のうちの１つのタイプの電源から電力の供給を受ける電子機器において、以下の要素を有する電子機器
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタの電圧を検出するとともに上記内蔵バッテリの電圧を検出し、上記外部電源コネクタの電圧と上記内蔵バッテリの電圧の合計値を決定し、上記検出した外部電源コネクタの電圧と上記合計値により、上記電子機器へ電力を供給している上記少なくとも３タイプの電源のうちの１つの電源のタイプを識別する電源識別手段、
（ｃ）上記電源識別手段により識別された電源のタイプにより電力の消費を制御する制御手段。
　　【請求項４】　
内蔵バッテリと外部電源とを含む複数のタイプの電源の１つのタイプの電源から電力の供給を受ける電子機器において、以下の要素を備えた電子機器
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタの電圧を検出し、上記内蔵バッテリの電圧を検出し、上記外部電源コネクタの電圧と上記内蔵バッテリの電圧の合計値を決定し、上記検出した外部電源コネクタの電圧と上記合計値により上記電子機器へ電力を供給している電源を識別する電源識別手段、
（ｃ）上記電源識別手段により識別された電源に対応して電力の消費を制御する制御手段。
　　【請求項５】　
上記電源識別手段は少なくとも３タイプの電源を識別することを特徴とする請求項３又は４に記載の電子機器。
　　【請求項６】　
上記電源識別手段は少なくとも４タイプの電源を識別することを特徴とする請求項３又は４に記載の電子機器。
　　【請求項７】　
上記制御手段は上記内蔵バッテリの充電を制御することを特徴とする請求項３又は４に記載の電子機器。
▲２▼発明の名称を次のように改める
（５４）【発明の名称】
電子機器
（５７）【特許請求の範囲】
　　【請求項１】　
内蔵バッテリと供給する電圧が異なる少なくとも２タイプの直流外部電源との少なくとも３タイプの電源のうちの１つのタイプの電源から電力の供給を受ける電子機器において、
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタに接続され、上記外部電源コネクタに接続される外部電源のタイプを上記外部電源コネクタの電圧そのものを検出することにより識別し、外部電源のタイプを決定する電源識別手段、
（ｃ）
上記電源識別手段により識別された外部電源のタイプに基づいて、上記内蔵バッテリの充電実行可否制御を行なう制御手段。
　　【請求項２】　上記直流外部電源は、少なくとも、１６Ｖ電圧のＡＣアダプタと８〜９．６Ｖ電圧の外部バッテリと１２Ｖ電圧のカーバッテリのいずれか２タイプの外部電源であり、上記電源識別手段は、上記検出した電圧により外部電源を識別することを特徴とする請求項１に記載の電子機器。
　　【請求項３】　
内蔵バッテリと２タイプの直流外部電源との少なくとも３タイプの電源のうちの１つのタイプの電源から電力の供給を受ける電子機器において、以下の要素を有する電子機器
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタの電圧を検出するとともに上記内蔵バッテリの電圧を検出し、上記外部電源コネクタの電圧と上記内蔵バッテリの電圧の合計値を決定し、上記検出した外部電源コネクタの電圧と上記合計値により、上記電子機器へ電力を供給している上記少なくとも３タイプの電源のうちの１つの電源のタイプを識別する電源識別手段、
（ｃ）上記電源識別手段により識別された電源のタイプにより電力の消費を制御する制御手段。
　　【請求項４】　
内蔵バッテリと外部電源とを含む複数のタイプの電源の１つのタイプの電源から電力の供給を受ける電子機器において、以下の要素を備えた電子機器
（ａ）上記各タイプの外部電源に対して共通に設けられ、各タイプの外部電源のうちの１つのタイプの外部電源を接続する２つの端子を有する外部電源コネクタ、
（ｂ）上記外部電源コネクタの電圧を検出し、上記内蔵バッテリの電圧を検出し、上記外部電源コネクタの電圧と上記内蔵バッテリの電圧の合計値を決定し、上記検出した外部電源コネクタの電圧と上記合計値により上記電子機器へ電力を供給している電源を識別する電源識別手段、
（ｃ）上記電源識別手段により識別された電源に対応して電力の消費を制御する制御手段。
　　【請求項５】　
上記電源識別手段は少なくとも３タイプの電源を識別することを特徴とする請求項３又は４に記載の電子機器。
　　【請求項６】　
上記電源識別手段は少なくとも４タイプの電源を識別することを特徴とする請求項３又は４に記載の電子機器。
　　【請求項７】　
上記制御手段は上記内蔵バッテリの充電を制御することを特徴とする請求項３又は４に記載の電子機器。
【発明の詳細な説明】
　　　【０００１】
　　【産業上の利用分野】
　この発明はバッテリ等を内蔵した電子機器に関するものであり、特に、電源端子から入力される電圧を検出して、その電源端子につながるＡＣアダプタ、外部バッテリ等を判別する電子機器に関するものである。
　　　【０００２】
　　【従来の技術】
　図６は、従来のノートパソコンの後部からの斜視図であり、２０はパソコン本体、２１はＤＣ−ＩＮ端子（ＡＣアダプタ入力端子）、２２は外部バッテリー端子である。従来のノートパソコンにおけるＡＣアダプタ入力には、専用のＤＣ−ＩＮ端子２１を用い、外部バッテリーには専用の外部バッテリー端子２２をそれぞれ設けているため、部品の占有面積の増加、及び部品点数の増加を招いている。
　　　【０００３】
　又図７は、従来の電源装置を示す図であり、例えば特公昭５６−１６６２５号公報に示されたような電源装置である。図において、７１は外部電源に接続されるコネクタ、７３は第１の切替スイッチ、７４は内蔵バッテリー、７５は電源スイッチ、７６はリレー、７７はリレー６の通電により開放させられる第２の切替スイッチ、７８は機器回路である。コネクタ７１は端子ａ、ｂ、ｃ、ｄを有しており、この共通のコネクタ７１を介してＡＣアダプタ及び外部バッテリー及びカーバッテリー等の電源を接続できるようになっている。この技術は４本の端子ａ、ｂ、ｃ、ｄの接続状態あるいは給電状態により、電源スイッチ７５、第１、第２の切替スイッチ７３、７７の切り換えにより、外部に接続された電源から機器回路７８を動作させると共にＡＣアダプタが接続されているときには内蔵バッテリー７４に充電を行なうようにしたものである。
　　　【０００４】
　　【発明が解決しようとする課題】
　図６に示したような従来の電子機器は、ＡＣアダプタ入力及び外部バッテリー人力にそれぞれ別々のコネクタを設けており、部品の占有面積の増加及び部品点数の増加を招いていた。
　又図７に示したような電源装置においては、コネクタは共通に用いることができるが、コネクタ内に用いられている端子が複数あり、この端子の接続状態及び内部のスイッチの切り換え状態により、処理を切り換えるものであり、コネクタが共通であっても、端子が複数になるということ、及び各種スイッチが必要であること等によりハードウェアの増加を招くという欠点があった。
　　　【０００５】
　また従来から、コネクタを共通に使用する技術は例えば実開昭５６−１２１３４４号公報、実開昭５８−１４１５９０号公報、実開昭６０−７０９９８号公報、実開昭６０−９０７８２号公報、実開昭６１−１８５２３５号公報等に示されているが、これらコネクタを共通にするという技術は開示されていても、共通になった結果外部に接続される電源等の種類を判別して、その結果内部の処理を制御するというようなものは開示されていなかった。
　　　【０００６】
　この発明は電源端子を一つに共通化し、ＡＣアダプタ、外部バッテリー、カーバッテリー等のいろいろな電源オプションに対応して電子機器の内部の制御を変更することが可能な電子機器を得ることを目的とする。
　　　【０００７】
　　【課題を解決するための手段】
　この発明に係る電子機器は、少なくとも３タイプの電源のうちの１つのタイプの電源から電力の供給を受ける電子機器において、以下の要素を有することを特徴とする。
（ａ）少なくとも３タイプの電源のうちの１つのタイプの電源である外部電源を接続する２つの端子を有する外部電源コネクタ、
（ｂ）上記外部電源コネクタに対応して設けられ、上記外部電源コネクタに接続される外部電源のタイプを識別し、上記電子機器へ電力を供給している少なくとも３タイプの電源のうちの１つの電源のタイプを決定する電源識別手段、
（ｃ）上記電源識別手段により識別された電源のタイプにより電力の消費を制御する制御手段。
　　　【０００８】
　上記電源識別手段は、上記外部電源コネクタの電圧を検出し、上記検出した電圧により電源を識別することを特徴とする。
　　　【０００９】
　上記電源のタイプの１つは、内蔵バッテリであることを特徴とする。
　　　【００１０】
　この発明に係る電子機器は、少なくとも３タイプの電源のうちの１つのタイプの電源から電力の供給を受ける電子機器において、以下の要素を有することを特徴とする。
（ａ）外部電源を接続する外部電源コネクタ、
（ｂ）上記少なくとも３タイプの電源の１つは、内蔵バッテリであり、上記外部電源コネクタの電圧を検出するとともに上記内蔵バッテリの電圧を検出し、上記外部電源コネクタの電圧と上記内蔵バッテリの電圧の合計値を決定し、上記検出した外部電源コネクタの電圧と上記合計値により、上記電子機器へ電力を供給している上記少なくとも３タイプの電源のうちの１つの電源のタイプを識別する電源識別手段、
（ｃ）上記電源識別手段により識別された電源のタイプにより電力の消費を制御する制御手段。
　　　【００１１】
　この発明に係る電子機器への電力供給方法は、以下の各工程を有することを特徴とする。
（ａ）２つの端子を有する１つの電源コネクタを経由して所定の電源から電力の供給を受ける電力供給工程、
（ｂ）上記電力供給工程により供給された電力の電圧を検出する電圧検出工程、
（ｃ）上記電圧検出工程により検出された電圧が、上記電源コネクタから供給される可能性のある複数の電圧のいずれかを判定することにより、上記所定の電源のタイプを識別する電源識別工程、
（ｄ）上記電源識別工程により識別された電源のタイプに基づいて上記電子機器の電力消費を制御する制御工程。
　　　【００１２】
　上記電力供給方法は、さらに、上記電子機器の電力状態を識別する電力状態識別工程を有し、上記制御工程は、上記電力状態識別工程において識別された上記電子機器の電力状態に基づいて上記電子機器の電力消費を制御することを特徴とする。
　　　【００１３】
　上記電源識別工程は、少なくとも４タイプの電源を識別することを特徴とする。
　　　【００１４】
　この発明に係る電子機器は、内蔵バッテリを含む複数のタイプの電源のうちの１つのタイプの電源から電力の供給を受ける電子機器において、以下の要素を備えたことを特徴とする。
（ａ）複数のタイプの電源のうちの１つのタイプの電源である外部電源を接続する２つの端子を有する外部電源コネクタ、
（ｂ）上記外部電源コネクタに接続される外部電源のタイプを識別する電源識別手段、
（ｃ）上記電源識別手段により識別された電源のタイプにより電力の消費を制御し、上記電源識別手段により識別された外部電源のタイプにより上記内蔵バッテリへの充電を制御する制御手段。
　　　【００１５】
　この発明に係る電子機器は、内蔵バッテリを含む複数のタイプの電源の１つのタイプの電源から電力の供給を受ける電子機器において、以下の要素を備えたことを特徴とする。
（ａ）外部電源を接続する外部電源コネクタ、
（ｂ）上記外部電源コネクタの電圧を検出し、上記内蔵バッテリの電圧を検出し、上記外部電源コネクタの電圧と上記内蔵バッテリの電圧の合計値を決定し、上記検出した外部電源コネクタの電圧と上記合計値により上記電子機器へ電力を供給している電源を識別する電源識別手段、
（ｃ）上記電源識別手段により識別された電源に対応して電力の消費を制御する制御手段。
　　　【００１６】
　上記電源識別手段は少なくとも３タイプの電源を識別することを特徴とする。
　　　【００１７】
　上記電源識別手段は少なくとも４タイプの電源を識別することを特徴とする。
　　　【００１８】
　上記制御手段は上記内蔵バッテリの充電を制御することを特徴とする。
　　　【００１９】
　　【作用】
　この発明における電子機器は、電源端子がＡＣアダプタ、外部バッテリー、カーバッテリー等のいろいろな電源オプションに対して、共通の電源端子で構成されているため、部品の占有面積及び部品点数を減少することができる。
　又、電源識別手段が電源端子（外部電源コネクタ）から入力された電力の電圧を検出し、検出した電圧により電源のタイプを識別するので、電源端子が共通になっても、外部に接続されている電源オプションの種類（タイプ）を判別することができる。
　そして、この電源識別手段により識別された電源のタイプに基づき制御手段が電源端子から供給される電力の消費を制御するので、ＡＣアダプタ、外部バッテリー、カーバッテリー等のオプションに対応して電子機器の電力の消費を制御することができる。
　　　【００２０】
　　【実施例】
実施例１．
　図１は、この発明の電子機器の一例を示すノートパソコンのブロック図であり、図において、２０はノートパソコン本体、１はノートパソコン本体２０の後部にある電源端子、１ａ、１ｂは電源端子１に備えられた端子である。２はマイコン、３はマイコン２の内部に備えられたＡ／Ｄコンバータ、４はＤＣ／ＤＣコンバータ、５は内蔵バッテリー、５ａ，５ｂは内蔵バッテリーとＤＣ／ＤＣコンバータを接続するバッテリー端子である。又、１０はノートパソコン本体２０の外部より電源端子１に接続されるＡＣアダプタ、１１は外部バッテリー、１２はカーバッテリー、１３はその他の外付けのバッテリー等である。
　　　【００２１】
　ノートパソコン本体に電源を供給する手段としては、内蔵バッテリー、ＡＣアダプタ、大容量型ＡＣアダプタ、外部バッテリーなどがあり、これらの中で、ＡＣアダプタ、外部バッテリー等の外付けの電源を同一のコネクタにより接続し、電源を供給することができる。
　ＡＣアダプタの場合は、本体パワーセーブ状態、及び本体パワーオフのとき、内蔵バッテリー充電可能であり、大容量ＡＣアダプタの場合は、本体の状態にかかわらず内蔵バッテリー充電可能であり、外部バッテリーの場合は、内蔵バッテリーの充電はしない。また、カーバッテリーアダプタの場合も、内蔵バッテリーの充電はしない。
　　　【００２２】
　これら複数種類の電源の制御は本体内蔵のマイコン２により行なわれる。このマイコン２は、本体の低消費電力化を受け持つパワーマネージメント機能、内蔵バッテリーの充電制御機能などを持っており、これらの機能を実現するために、内蔵バッテリー、ＡＣアダプタ、外部バッテリーの電圧をマイコンに内蔵されたＡ／Ｄコンバータ３により監視し、それぞれの接続状態や電圧によりその制御方法を変えている。
　　　【００２３】
　従来のノートパソコンの場合、ＡＣアダプタと外部バッテリーのために別々のコネクタが用意されているものが一般的であるが、実際にユーザーが使用する場合に、ＡＣアダプタと外部バッテリーの両方を同時に使用する機会はまず無く、コネクタを別々にすることによる利点というものは存在しない。コネクタを一つにすることで部品点数を削減することができ、電圧を検出してコネクタにつながるデバイスを識別する機能をもっていることにより、新しいオプション、例えば車のシガレット端子から電源をとるアダプタなどを本体のＨ／Ｗ変更をすることなく開発することができるなどの利点が生まれる。
　　　【００２４】
　次に図２、及び、図３を用いて動作について説明する。
　図２において、４ａはＤＣ／ＤＣコンバータ内にある安定化電源回路及びバッテリー充電回路、４ｂはＡＣアダプタからの電力を入力し、電圧を一定のままにし、電流のみを増幅するバッファアンプ、４ｃは内蔵バッテリーからの電力を入力し、同じく電圧を一定のまま電流のみを増幅するバッファアンプである。２は、たとえば、三菱電機製のワンチップマイコン（Ｍ３７４５１）であり、その内部にＡ／Ｄコンバー夕３を有している。
　　　【００２５】
　図３は図２に示した回路の動作を示すフローチャート図であり、まず、Ｓ１においてＡ／Ｄコンバータ３がＡＣアダプタ入力電圧を取り込み、Ａ／Ｄ変換により、その電圧を測定する。
　次にＳ２において、測定された電圧に基づき電源の種類を判別する。例えばＡＣアダプタ、大容量ＡＣアダプタは接続されている場合には１６Ｖを示し、外部バッテリーが接続されている場合には８〜９．６Ｖを示し、カーバッテリーが接続されている場合には１２Ｖを示す。
　次にＳ３において、内蔵バッテリーからのバッテリー入力電圧をＡ／Ｄコンバータ３に取り込みその電圧に基づきＳ４において、バッテリーがフル充電かどうかを識別する。もし、バッテリーの残量が少ないと判断された場合にはＳ５において、接続されている電源がＡＣアダプタまたは大容量ＡＣアダプタかどうかを判別し、もしＡＣアダプタまたは大容量ＡＣアダプタが接続されている場合にはＳ６において内蔵バッテリーに充電する命令をワンチップマイコンによりＤＣ／ＤＣコンバータのバッテリー充電回路４ａに対して出力する。
　なおＳ４においてバッテリーがフル充電の場合にはバッテリーは充電されない。またＳ５においてＡＣアダプタ又は大容量ＡＣアダプタ以外のもの即ち外部バッテリーやカーバッテリー等が接続されている場合にはこれらの電力を低消費とするために内蔵バッテリーへのチャージ命令は出力されない。
　　　【００２６】
　以上のようにこの実施例では電源端子に接続されるＡＣアダプタ、外部バッテリー等の種類を判別するためにその電源端子に入力された電圧をパソコン本体に内蔵されるマイコンのＡ／Ｄコンバータに入力することによりＡ／Ｄ変換して判別し、その後のマイコンの処理を変化させる場合を説明した。この例ではＡＣアダプタが接続されている場合には、内蔵バッテリーの充電を行なうようにし、外部バッテリー等が接続されている場合には、内蔵バッテリーの充電を行わないようにして外部バッテリー等の電力を節約する場合を説明した。
　　　【００２７】
実施例２．
　次にこの発明に係る電子機器の一実施例を図４、及び図５を用いて説明する。前述した実施例１においては、コネクタ１は２本の端子を持っていたが、この実施例２においては３本の端子１ａ，１ｂ，１ｃを有している。端子１ｃはアダプタのタイプを示すアダプタタイプ信号（ＡＤＰＴＹＰ）を入力する端子である。ここで、アダプタタイプ信号（ＡＤＰＴＹＰ）としては、ＡＣアダプタが接続されている時は０Ｖが入力され、大容量ＡＣアダプタが接続されている場合は１６Ｖを入力する。その他の外部バッテリーやカーバッテリー等を入力する場合には、それぞれのバッテリーが有する電圧をそのまま入力する。また内蔵バッテリーで動作している場合には、このコネクタ１には何も接続されていないことになるため、端子１ｃには０Ｖが入力されることになる。
　又４ｄは外部ＤＣ電圧／バッテリー電圧加算回路であり、端子１ａからの電圧と、端子５ａからの電圧を加算し、それをＡ／Ｄコンバータ３がＡ／Ｄ変換できる範囲の電圧に降圧する。例えばＡ／Ｄコンバータ３が０から５Ｖの範囲でＡ／Ｄ変換することが可能な場合であって、外部ＤＣ電圧／バッテリー電圧加算回路４ｂにおける外部ＤＣ電圧とバッテリー電圧の加算結果が最大２０Ｖを示すような場合には、直接その２０ＶをＡ／Ｄコンバータ３に入力することは出来ず、加算した結果を４で割り最大５Ｖのレンジに収めた電圧をＡ／Ｄコンバータ３に出力することになる。
　　　【００２８】
　次に図５を用いてこの実施例のマイコンの動作について説明する。
　Ｓ１０において外部ＤＣ電圧／バッテリー電圧加算回路からの出力をＡ／Ｄコンバータ３が入力する。又Ｓ１１において端子１ｃからのアダプタタイプ信号の入力電圧を入力しＡ／Ｄ変換する。この二つの電圧に基づき、Ｓ１２において、図５（ｂ）に示すような表から電源の種類を判別する。図５（ｂ）に示すようにＡＤＰＴＹＰ電圧はそれぞれの電源によって異なる値を示すが、ＡＣアダプタと内蔵バッテリーの場合には共にＡＤＰＴＹＰ電圧が０Ｖを示し区別することが出来ないことになる。図５（ｃ）はＳ１０において取り込んだＤＣ入力電圧の特性を示す図であり、図において５１は内蔵バッテリーのみの場合のＤＣ入力電圧の特性を示し、５２は内蔵バッテリーとＡＣアダプタの両方が接続されている場合のＤＣ入力電圧の特性を示している。従って、ＡＣアダプタと内蔵バッテリーのＡＤＰＴＹＰ電圧が共に０ＶであってＡＤＰＴＹＰ電圧からのみでは両者の区別がつかない場合であっても、Ｓ１０で判別したＤＣ入力電圧により内蔵バッテリーのみが接続されているのか、あるいは内蔵バッテリーとＡＣアダプタ両方が接続されている場合なのか判別することが可能になる。
　　　【００２９】
　次にＳ１３において、Ｓ１２による電源ソース判別情報を基にして、電源ソース判別情報に対応した「内蔵バッテリーの残量判断用基準（しきい値電圧）」を入手する。そしてＳ１４において、Ｓ１０のＤＣ入力電圧とＳ１３による残量判断用基準（しきい値電圧）との比較を行なう。例えば内蔵バッテリーとＡＣアダプタの両方が接続されている場合には、Ｓ１０のＤＣ入力電圧が図５（ｃ）の曲線５２上のしきい値電圧５３２よりも小さい値を示す場合に、バッテリー残量が少ないものとして判定される。なお、例えば内蔵バッテリーのみの場合には、曲線５１に対応させたしきい値電圧５３１と比較するのは、もちろんである。バッテリー残量が少ないと判定された場合にはＳ１５に移り、大容量ＡＣアダプタの接続がある場合には、Ｓ１７で内蔵バッテリーに充電命令が出力される。同様にＳ１６において、ＡＣアダプタの接続がある場合にも、Ｓ１７において内蔵バッテリーに充電命令が出力される。
　　　【００３０】
　以上この実施例２の動作をまとめると以下のようになる。
　（１）ＡＣアダプタ使用時
　ＡＤＰＴＹＰ信号オープン（０Ｖ）であり、本体パワーセーブ状態、及び本体パワーオフのとき、内蔵バッテリー充電可能。
　（２）大容量ＡＣアダプタ使用時
　ＡＤＰＴＹＰ信号＝ＤＣ電圧（１６Ｖ）であり、本体の状態にかかわらず内蔵バッテリー充電可能。
　（３）外部バッテリー使用時
　ＡＤＰＴＹＰ信号＝ＤＣ電圧（９．６Ｖ）であり、内蔵バッテリーの充電はしない。
　（４）カーバッテリーアダプタ使用時
　ＡＤＰＴＹＰ信号＝ＤＣ電圧（１２Ｖ）であり、内蔵バッテリーの充電はしない。
　（５）内蔵バッテリーのみの時
　ＡＤＰＴＹＰ信号オープン（０Ｖ）であり、充電はしない。
　　　　【００３１】
実施例３．
　上記実施例１、２においては電源端子から入力される電圧を検出する電源識別手段としてＡ／Ｄコンバータ３の場合を示したが、Ａ／Ｄコンバータは電源識別手段の一例であり、その他の電圧を検出する手段を用いてもかまわない。
　　　　【００３２】
実施例４．
　上記実施例１、２においてはワンチップマイコン２を制御手段の一例として示し、複数種類の外付け電源に対して電源端子を共通にしたので、電源関連のオプションに関してマイコンのソフトウエアで対応することができる場合を示したが、ワンチップマイコンによらずその他のハードウェア回路、あるいはその他のプログラムにより、電源端子から供給される電力の消費を制御する場合でもかまわない。
　　　　【００３３】
実施例５．
　上記実施例１、２においてはＡ／Ｄコンバータがワンチップマイコンに内蔵されている場合を示したが、これらのＡ／Ｄコンバータ及びワンチップマイコンは別々な回路として構成されていてもかまわない。
　　　　【００３４】
実施例６．
　上記実施例１、２においてはノートパソコンの場合を示したが、この発明に係る電子機器はノートパソコンに係る場合ばかりでなくその他のコンピュータ、ＯＡ機器、ＡＶ機器にも適用する事ができる。
　　　　【００３５】
実施例７．
　上記実施例においては、外部に接続される電源の種類によって内蔵バッテリーへの充電を行なうか行わないかという制御する場合を示したが、制御手段は、外部に接続される電源の種類によって、たとえば表示装置の輝度を変化させたり、あるいはフロッピーディスクドライブへの電源供給を制御する等の、その他の電力の消費を制御する場合でもかまわない。
　　　　【００３６】
　　　【発明の効果】
　以上のようにこの発明によれば、外部電源コネクタを共通化することによりコネクタ等の部品点数を削減できるとともに、電源監視回路の単一化が図れ同一の外部電源コネクタを用いても接続している電源のタイプを識別できる。
　また、識別された電源のタイプに応じて電力の消費を制御できる。
　また、外部電源コネクタを共通化することにより新しいオプションの電源を、本体のＨ／Ｗ変更をすることなく導入でき、柔軟性のある電子機器を得ることができる。
【図面の簡単な説明】
　　【図１】
　この発明に係る電子機器の一実施例を示すブロック図である。
　　【図２】
　この発明に係る電子機器の動作を説明するためのブロック図である。
　　【図３】
　この発明に係る電子機器の一実施例のマイコンの動作を示すフローチャート図である。
　　【図４】
　この発明に係る電子機器の他の実施例の動作を示すブロック図である。
　　【図５】
　この発明に係る電子機器の他の実施例のマイコンの動作を示すフローチャート図である。
　　【図６】
　従来のノートパソコンの電源端子を示す図である。
　　【図７】
　従来の電源装置の回路図を示す図である。
　　【符号の説明】
　１　電源端子
１ａ，１ｂ，１ｃ　端子
　２　マイコン
　３　Ａ／Ｄコンバータ
　４　ＤＣ／ＤＣコンバータ
　５　内蔵バッテリー
１０　ＡＣアダプタ
１１　外部バッテリー
１２　カーバッテリー
４ａ　安定化電源回路、バッテリー充電回路
４ｂ，４ｃ　バッファアンプ
４ｄ　外部ＤＣ電圧／バッテリー電圧加算回路